(57)【特許請求の範囲】
【請求項１】
全体を下支えする支持板部（３０）と、前記支持板部（３０）の上に取付けられる中央部にメッシュ体（４１）を備えた台箱（４０）と、前記台箱（４０）の上に取付けられる炉枠板部（５０）とから構成される分解・組立可能な携帯式の野外用こん炉（１）において、
前記支持板部（３０）の下方に配置されて前記支持板部（３０）を取付け、こん炉使用時に生じる灰を受けて灰の地表面への直接落下を防止し、地表面への熱影響を遮蔽する台座板（２０）をさらに含み、
前記台座板（２０）が、矩形状の一対の対向する辺が当該台座板の平面から直角に立ち上がった高さ部（２１）と、前記高さ部（２１）からさらに直角に曲がって相互に対向する方向に前記平面と平行に延びるレール部（２２）とを有し、
前記支持板部（３０）が、左右幅方向中間で相互にＸ字状に差し込まれるよう高さ方向の半分の長さまで相互に反対方向に延びるスリット（３３）を有する一対の支持板（３１、３２）から構成され、前記各支持板（３１、３２）が、左右両端部の下方から前記台座板（２０）の高さ部（２１）に対応した高さで水平方向に設けられたスリット（３４）を有し、
こん炉組立時に、当該水平方向に設けられたスリット（３４）に前記台座板（２０）のレール部（２２）が差し込まれて前記支持板部（３０）が前記台座板（２０）に取り付けられ、両要素（２０、３０）が相互に相手側を拘束して熱変形を阻止することを特徴とする野外用こん炉（１）。
【請求項２】
前記野外用こん炉（１）の分解・収納時、前記台座板（２０）のレール部（２２）内に前記台箱（４０）が引き出し状に差し込まれ、その他の要素が前記台箱（４０）内に積み重ねられて一括収納されることを特徴とする、請求項１に記載の野外用こん炉（１）。
【請求項３】
前記レール部（２２）が長さ方向に幅狭となるくびれ部（２３）を有し、前記支持板部（３０）が当該くびれ部（２３）内においてＸ字状に前記台座板（２０）に取付けられることにより、又は前記高さ部（２１）が長さ方向に間隔を設けた一対の開口を有し、前記支持板部（３０）が前記レール部（２２）に差し込まれた際に前記水平方向に設けられたスリット（３４）の下側部分が当該一対の開口にはまることにより、前記支持板部（３０）が前記レール部（２２）の長さ方向へ移動することが阻止されることを特徴とする、請求項２に記載の野外用こん炉（１）。
【請求項４】
前記各支持板（３１、３２）が左右両端部の上端に相互に対向する方向に延びるＬ字状に曲った保持フック（３５）を有し、
こん炉組立時に、Ｘ字状に差し込まれた一対の支持板（３１、３２）によって形成される４つの前記保持フック（３５）で囲まれる空間を貫通するよう前記台箱（４０）が水平方向に差し込まれて取付けられ、こん炉使用時に相互に相手側を拘束して熱変形を阻止することを特徴とする、請求項２に記載の野外用こん炉（１）。
【請求項５】
前記炉枠板部（５０）が、４枚の炉枠板によって下方から上方に向けて拡開する角錐台状に形成され、
前記４枚の炉枠板が、左右両端部近傍にスリット（５５ａ）を設けた一対の受炉枠板（５１）と、左右両端部に前記受炉枠板（５１）のスリット（５５ａ）内に差し込まれる差込タブ（５７）を設けた一対の差炉枠板（５２）とから構成され、
前記各差炉枠板（５２）の差込タブ（５７）が前記スリット（５５ａ）内に差込まれた状態で、差込み方向の外側で前記受炉枠板（５１）を背後から拘束して熱変形を阻止する突出部（５８）を前記差込タブ（５７）が有すること、または前記受炉枠板（５１）に設けられた他のスリット（５５ｂ）に差し込まれて前記受炉枠板（５１）を背後から拘束して熱変形を阻止する固定フック（５９）を前記差炉枠板（５２）が有することを特徴とする、請求項１に記載の野外用こん炉（１）。
【請求項６】
前記各支持板（３１、３２）の保持フック（３５）の先端が、前記台箱（４０）を保持した状態で該台箱（４０）に差し込まれた前記受炉枠板（５１）の外面に当接するよう形成され、
こん炉組立時に前記先端が前記受炉枠板（５１）を所定の傾斜状態に維持して炉枠板部（５０）の組立てを容易にし、
こん炉使用時に前記突出部先端が前記受炉枠板（５１）を背後から拘束して受炉枠板（５１）の熱変形を阻止することを特徴とする、請求項５に記載の野外用こん炉（１）。
【請求項７】
前記各炉枠板（５１、５２）の下方端に、前記台箱（４０）に設けられたスリット（４２）に差し込まれる取付け用のタブ（５４）が設けられ、少なくとも一部の当該タブ（５４）が前記台箱（４０）の前記スリット（４２）に差し込まれた状態で差し込み方向の外側で前記支持板（３１、３２）の表面に当接して当該支持板（３１、３２）を拘束し、熱変形を阻止することを特徴とする、請求項５に記載の野外用こん炉（１）。
【請求項８】
前記野外用こん炉（１）が、前記炉枠板部（５０）の内部に取付けられる燃料保持部（６０）、炉枠板部５０を二重構造とする第２の炉枠板部、四辺形状の炉枠板部（５０）の上方各コーナ部に取付けられる調整板（７０）、のいずれかをさらに含むことを特徴とする、請求項１から請求項７のいずれか一に記載の野外用こん炉。
【発明の詳細な説明】
【技術分野】
【０００１】
本発明は、組立式の簡易野外用こん炉に関する。より具体的に、本発明はキャンプ地等の野外での使用に適した、分解組立が容易でコンパクトに収納可能な野外用こん炉に関する。
【背景技術】
【０００２】
キャンプ地等で使用される野外用こん炉は、こん炉としての機能が十分に果たせるものであることが大前提となるが、さらに分解、組立が容易であり、分解した後の収納が容易で収納姿がコンパクトであり、携帯用に適したものであることが要求される。加えて昨今では環境に優しいものである点も重要であり、具体的には使用するキャンプ地における環境保護のほか、耐久性があって長期間の繰り返し使用に耐え、資源の有効利用が図れるものであることが望まれている。
【０００３】
従来技術においても各種の組立式野外用こん炉が知られているが、中でも、枯れ木などを集めて燃料にする野外用携帯こん炉が開示されている（例えば、特許文献１参照。）。当該文献に開示された携帯こん炉によれば、最下段に板材を十字状に組んだ風受板が設けられ、その上に燃料を載置する載置具が置かれ、さらにその上に角錐台型の風防筒が乗せられている。載置具の開口部にメッシュ体が張られており、風受板からメッシュ体を通過する空気が枯れ木などの燃料を燃やし、その火気が風防筒を通って上昇して上部に載せられる鍋、やかんなどの調理容器を加熱する。調理容器を支えるため、風防体の上には薄板をクロスさせた載板がさらに載せられている。
【０００４】
上記構成によれば、燃料が載置される載置板のメッシュ体が極めて密に編成されているため、燃焼によって生ずる灰などがほとんど下方へ落下しないとされる。また、燃焼後の火気を上方へ伝達させる角錐台型の風防筒は、上方に向うにしたがって縮小するよう傾斜しており、これによって枯れ木などの燃焼による弱い火力を集中させて効率的に火力を利用するよう構成されている。
【特許文献１】特開平１０−１２７４９８号公報
【発明の開示】
【発明が解決しようとする課題】
【０００５】
しかしながら、上述した従来技術に開示された野外用携帯こん炉には改善の余地があった。まず、枯れ木などの燃料を載置する載置板のメッシュ体は、たとえ密に編成されているとしてもやはり燃焼後の灰がメッシュ体を通過して落下することは避けられない。載置板の下には薄板を十字状に組んで地面に垂直に立ち上がる風受板しかなく、メッシュ体から落下した灰は地表面に直接落下することになる。これは環境保護上、好ましいことではない。昨今ではこのような灰などの廃棄物を直接地表面に落下させることを禁止する動きも出ている。こん炉の下に別途鉄板などを敷くことはできるものの、携帯用こん炉単体でこのような対応がされていないのは不便である。また、灰の落下を防止するためにメッシュ体を密にし過ぎると、今度はメッシュ体に灰が詰まって酸素の供給が不十分となり、燃焼に支障を及ぼすことからその程度にも限界がある。
【０００６】
また、火気を上方に導く四辺で形成された角錐台型の風防筒は、組立後の収納を考えて対向する二辺の中央、および隣接する四辺の突合せ部に蝶番が設けられ、前記対向する二辺をＶ字状に畳んで平たく収納するよう構成されている。かかる構造とした場合、可燃物の燃焼により汚れる内部を洗浄することが極めて困難となる。筒状のものを保持しつつその内面を洗浄する必要があり、しかも燃焼に伴う強固な汚れを落とす必要もあることから、十分な洗浄ができないという問題があった。また、火力の関係で角錐台型が上方に縮小するよう構成されていることから、加熱範囲が制限され、例えば網を使用する焼肉など、調理容器以外の加熱は極端に制約されていた。上方に縮小する構成は、燃焼による汚れが付着し易いという問題もあった。また、蝶番が設けられているために構造が複雑となり、製造にも手間を要するものとなっていた。
【０００７】
加えて、そしてより重要な問題として、従来技術による携帯こん炉は耐久性が不十分なことであった。こん炉はほとんどの構成要素が高熱にさらされるため、鉄、ステンレスなどの金属材料を利用せざるを得ないが、携帯用として構成するには各要素の板厚などを薄くして重量を軽減する必要に迫られる。しかしながら、逆に板厚が薄くなると高熱によって構成部品は変形することが避けられない。数回の使用によってこの変形が一定限度を越えると、使用後にこん炉を分解してもうまく畳むことができなくなり、所定の収納ができないものとなる。従来技術による携帯こん炉は、このために僅かの使用回数で廃棄せざるを得ないものとなり、これがキャンプ地などで大量に廃却されるなどの問題が生じている。またこのような事態は、資源の無駄を生じさせてもいた。
【０００８】
以上より、本願発明は上述したような従来技術にある問題点を解消し、分解組立が容易であり、コンパクトで携帯にも適し、かつ熱変形が生じにくく耐久性に勝れた野外用こん炉を提供することを目的としている。
【課題を解決するための手段】
【０００９】
本発明は、野外用こん炉組立体自身に台座となる要素を含めて灰の直接地表面への落下を防止し、また各構成要素を相互に拘束し合うガッチリとした構造とし、組立後のこん炉の剛性を高めることにより上述した問題を解消するもので、具体的には以下の内容を含む。
【００１０】
すなわち、本発明にかかる１つの態様は、全体を下支えする支持板部と、前記支持板部の上に取付けられる中央部にメッシュ体を備えた台箱と、前記台箱の上に取付けられる炉枠板部とから構成される分解・組立可能な携帯式の野外用こん炉であって、前記支持板部の下方に配置されて前記支持板部を取付け、こん炉使用時に生じる灰を受けて灰の地表面への直接落下を防止し、かつ地表面への熱影響を遮蔽する台座板をさらに含むことを特徴とする野外用こん炉に関する。
【００１１】
前記野外用こん炉の分解・収納時、前記台箱と前記台座板のいずれか一方を容器、いずれか他方を蓋として利用し、その他の要素をこれらの内部に一括収納するよう構成することができる。具体例としては、前記台座板の矩形状の一対の対向する辺に、当該台座板の平面から直角に立ち上がる高さ部と、前記高さ部からさらに直角に曲がって相互に対向する方向に前記平面と平行に延びるレール部とを設け、前記レール部内に前記台箱（４０）を引き出し状に差し込み可能とし、前記その他の要素を前記台箱内に積み重ねて一括収納するよう構成することができる。
【００１２】
前記支持板部は、左右幅方向中間で相互にＸ字状に差し込まれるよう高さ方向の半分の長さまで延びるよう設けられたスリットをそれぞれ反対方向に有する一対の支持板から構成することができる。前記各支持板には、左右両端部の下方から前記台座板の高さ部に対応した高さで水平方向に設けられた横スリットを設け、こん炉組立時に、当該横スリットに前記台座板のレール部を差し込んで前記支持板部を前記台座板に取り付け、両者が相互に相手側を拘束して熱変形を阻止するよう構成することができる。
【００１３】
前記レール部の長さ方向に幅狭となるくびれ部を設け、前記支持板部を当該くびれ部内においてＸ字状となるよう前記台座板に取付けることができる。これによって前記支持板部は、前記レール部の長さ方向への移動を阻止することができる。あるいは前記台座板の各高さ部に所定の間隙を設けた一対の穴を設け、この穴内に前記水平方向に設けられた横スリットの下側を差し込むことで、前記支持板部による前記レール部の長さ方向への移動を阻止してもよい。
【００１４】
前記各支持板には左右両端部の上端に相互に対向する方向に延びるＬ字状に曲った保持フックを設け、こん炉組立時には前記台箱を、Ｘ字状に差し込まれた一対の支持板によって形成される４つの前記保持フックで囲まれる空間に貫通するよう水平方向に差し込んで取り付けることができる。これにより、こん炉使用時に支持板部と台箱とが相互に相手側を拘束して熱変形を阻止することができる。
【００１５】
前記炉枠板部は、４枚の炉枠板によって下方から上方に向けて拡開する角錐台状に形成することができる。前記４枚の炉枠板は、左右両端部近傍にスリットを設けた一対の受炉枠板と、左右両端部に前記受炉枠板のスリット内に差し込まれる差込タブを設けた一対の差炉枠板とから構成することができる。前記各差炉枠板の差込タブは、前記スリット内に差込まれた状態で、差込み方向の外側で前記受炉枠板を背後から拘束して熱変形を阻止する突出部を有することができる。前記差炉枠板は、前記受炉枠板に設けられた他のスリットに差し込まれ、前記受炉枠板を背後から拘束して熱変形を阻止する固定フックをさらに有していてもよい。
【００１６】
前記各支持板の保持フックの先端は、前記支持板部が前記台箱を保持した状態で該台箱に差し込まれた前記受炉枠板の外面に当接するよう形成することができる。かかる構成によって、こん炉組立時に前記先端が前記受炉枠板を所定の傾斜状態に維持して炉枠板部の組立てを容易にし、こん炉使用時に前記突出部先端が前記受炉枠板を背後から拘束して受炉枠板の熱変形を阻止するという効果を奏する。
【００１７】
前記各炉枠板の下方端には、前記台箱に設けられたスリットに差し込まれる取付け用のタブが設けられ、少なくとも一部の当該タブは前記台箱の前記スリットに差し込まれた状態で差し込み方向の外側で前記支持板の表面に当接して当該支持板を拘束し、熱変形を阻止することができる。
【００１８】
前記野外用こん炉はさらに、前記炉枠板部の内部に取付けられる燃料保持部、または炉枠板部を二重構造とする第２の炉枠板部、または四辺形状の炉枠板部の上方各コーナ部に取付けられる調整板のいずれかを含むことができる。
【００１９】
前記燃料保持部は、一対の支持棒と、前記支持棒の中央部分に固定されたネット体とから構成することができる。前記炉枠板部のいずれか一方の対向する一対の炉枠板には前記支持棒を差し込むための幅狭部を備えた鍵状穴を設け、一方、前記一対の支持棒の各先端部には前記鍵状穴の幅狭部に差し込まれる縮径溝を設け、前記支持棒の縮径溝を前記鍵状穴の幅狭部に差し込むことによって、前記燃料保持部を前記対向する一対の炉枠板に取り付けることができる。これにより、前記支持棒は前記対向する一対の炉枠板を拘束し、前記炉枠板の熱変形を阻止することができる。
【発明の効果】
【００２０】
本発明の実施により、野外レジャーにも手軽に利用することができ、かつコンパクトに収納でき、携帯に便利な野外こん炉を提供することができる。また、キャンピング場に対しては、環境保全に一層貢献することができる野外用こん炉を提供するものとなる。
【発明を実施するための最良の形態】
【００２１】
以下、本発明の実施の形態にかかる野外用こん炉（以下、単に「こん炉」とも言う。）について図面を参照して説明する。図１は、本実施の形態にかかる野外用こん炉の概要を示しており、図２、図３はその構成要素を個別に示している。図１において、本実施の形態にかかるこん炉１は、下から順に台座板２０と、台座板２０に載置されてこん炉１全体を支える支持板部３０と、支持板部３０の上に固定される台箱４０と、台箱４０の上に組み立てられる炉枠板部５０とから主に構成されている。図１にはさらに、オプションとして燃料保持部６０と、網などを載置可能な調整板７０とを表示している。ここで、本明細書では、こん炉１の地表面に向かう方向を下方、反対に被加熱物が載置される方向を上方、またこれらに直交する方向を横又は左右方向と呼ぶものとする。
【００２２】
台座板２０は、図２（ａ）に示すように、略矩形状の板材を加工して作られている。矩形状の一対の対向する辺が当該台座板２０の平面から直角に立ち上がって高さ部２１を形成し、さらに高さ部２１から直角に曲げられて相互に対向する方向に前記平面と平行に延びるコの字状となったレール部２２を形成している。レール部２２の長さ方向中央部分にはくびれ部（幅狭部）２３が設けられ、後述する支持板部３０の取り付けを可能にしている。本実施の形態にかかる台座板２０は、１ｍｍ厚のステンレス鋼板を用いている。該板厚は、重量軽減の観点からできるだけ薄いことが望ましいが、強度や熱変形などを考慮した場合には自ずから限界がある。これは、以下に記す各構成要素についても同様である。
【００２３】
図２（ｂ）は、支持板部３０を構成する受支持板３１と差支持板３２を示している。この両者は基本的に同様な形状であるが、組み付けるための縦スリット３３が相互に逆方向に高さの半分の長さまで延びるよう設けられ、両支持板３１、３２の差込みを可能にしている。縦スリット３３、３３を利用した差込みにより、Ｘ次状にクロスした支持板部３０が完成する。各支持板３１、３２の左右方向両端には、下方に台座板２０のレール部２２が差し込まれる横スリット３４が、同上方には後述する台箱４０を差し込む保持フック３５がそれぞれ設けられている。
【００２４】
図２（ｃ）は、炭などの燃料を載置し、また上方に位置する炉枠板部５０を取付ける台箱４０を示す。台箱４０は、板材の周囲４辺を同一方向に直角に折り曲げ、折り曲げられた端部を溶接することによって全体が箱状に形成されている。この形状は、自らの熱変形を防止し、取付けられる他の構成要素を支持してこれらの熱変形を阻止すると共に、分解後に各構成要素を収納するために有効である。加えて、台箱４０は上方で鍋、やかんなどの重量物を支持することもあり、本実施の形態では相対的に厚い２ｍｍ厚のステンレス鋼で作られている。
【００２５】
台箱４０の中央部は開口しており、ここに図示のように平板にメッシュを取付けたメッシュ体４１がスポット溶接などの手段で固定されている。炭などの燃料をこのメッシュ体４１上に載置して燃やすことができ、また、下方から導入される空気を通過させると共に、燃焼後に出る灰を受ける機能も果たす。しかしながら、本実施の形態にかかる野外用こん炉１では、図１に示すようにその下方にさらに台座板２０を備えており、落下する灰を台座板２０が受けるため、従来技術のようにメッシュ体４１を極端に密なものとする必要はない。なお、図面ではメッシュ体が網状に表示されているが、板材に縦横マトリックス状に多数の穴を穿けたパンチングメタルなどの使用も可能である。
【００２６】
台箱４０にはさらに、後に取り付けられる炉枠板部５０の下方に設けられた固定リブを受け入れる保持スリット４２が本実施の形態では合計６箇所設けられ、炉枠板部５０の保持を可能にしている。
【００２７】
次に図３（ａ）は、こん炉の燃焼室を囲う炉枠板部５０を構成する受炉枠板５１、図３（ｂ）は同じく差炉枠板５２の両炉枠板を示している。本実施の形態では、いずれの炉枠板５１、５２も１．２ｍｍ厚のステンレス鋼板で作られており、加熱枠（開口部）に当る上方の縁部には曲げ加工部５３が設けられ、怪我などに対する安全性を確保すると共に自身の熱変形に対抗する剛性を高めている。図３（ａ）に示す受炉枠板５１には、下方に台箱４０の保持スリット４２に差し込むための固定リブ５４が２つ設けられ、また、後に差し込まれる差炉枠板５２取付のための傾斜スリット５５（５５ａ、５５ｂ）が左右両側に設けられている。さらに、中央付近には丸穴と幅狭部とからなる鍵状穴５６が一対明けられており、これは後に示すオプションの燃料保持部６０を固定するために用いられる。
【００２８】
図３（ｂ）に示す差炉枠板５２は、左右両端に差込タブ５７が設けられ、当該差込タブ５７は受炉枠板５１に設けられた傾斜スリット５５ａに差し込まれる。この差し込まれた状態で、差込タブ５７の下端に設けられた突出部５８が差し込み方向の背後（炉の外側）から受炉枠板５１を拘束することができ、受炉枠板５１の熱変形を阻止する作用をする。同様に、差炉枠板５２の左右両端上方に設けられた固定フック５９が受炉枠板５１のもう一つの傾斜スリット５５ｂに差込まれ、受炉枠板５１を背後（同上）から拘束する。本実施の形態にかかる差炉枠板５２の下方端には、台箱４の保持スリット４２に差し込まれる固定リブ５４が１つ設けられている。固定リブ５４の数を受炉枠板５２と同様に2つとすることも可能であるが、両者間で数を変えることにより誤組付けを回避するメリットが生まれる。加熱枠（開口部）に当る上方の縁部に曲げ加工部５３が設けられているのは、受炉枠板５１と同様である。なお、図示の例では中部下方に貫通穴が明けられており、炉内への補助空気の導入を可能にしている。
【００２９】
受炉枠板５１と差炉枠板５２とはそれぞれ一対ずつ使用され、組立ての際には当該一対ずつが対向して上方に向けて拡開する角錐台型の炉本体部を形成し、各上方の縁に設けられた曲げ加工部５３が四辺形状のこん炉の加熱枠を構成する。
【００３０】
図３（ｃ）は、オプションとなる、一対の支持棒６１と支持棒６１の上に固定されたネット体６２とから構成される燃料保持部６０を示している。各支持棒６１の先端部には、縮径した溝部６３が設けられ、この溝部６３が一対の受炉枠板５１の鍵状穴５６にそれぞれ差し込まれることによって、燃料保持部６０を炉枠板部５０で囲む炉本体部が構成される。
【００３１】
図３（ｄ）は、同じくオプションとなる調整板７０を示している。調整板７０は、図１の最上部に示すように炉枠板部５０の各コーナ部に計４つ取り付けることができる。図３（ｄ）に示すように、調整板７０は長手方向の中央軸を対称にして長目スリット７１と短目スリット７２を有しており、各スリット７１、７２は上述した炉枠板部５０の各コーナ部にて接する受炉枠板５１と差炉枠板５２とに差し込んで取付け可能である。計４つの調整板７０を取付けることにより、両炉枠板５１、５２を把持して拘束する効果が生じ、また野外用こん炉１を使用して焼肉などをする際の網受けとも使用することができる。網の高さは、スリット７１、７２のいずれの方向を炉枠板部５０に差し込むかによって調整することができる。
【００３２】
次に、以上のように構成された本実施の形態にかかる野外用こん炉１の組立て動作を、図４〜図９を参照して説明する。まず図４において、両支持板３１、３２の縦スリット３３同士を差し込んでＸ字状の支持板部３０を作り、これを台座板２０に取付ける。この際、支持板部３０全体を台座板２０のレール部２２に設けられたくびれ部２３を介して嵌め込み、両支持板３１、３２の下方に設けられた横スリット３４内にレール部２２を差し込んで固定する。これにより支持板部３０の上下方向の動きが拘束され、かつ水平方向の動きはくびれ部２３の長さ方向端部により拘束される。この拘束は、台座板２０が支持板部３０の熱変形を阻止すると同時に、支持板３０が台座板２０の熱変形をも阻止する効果を果たす。
【００３３】
なお、図示はしていないが、支持板部３０の水平方向の動きを規制するには以下の代替策が考えられる。一つは、台座板２０の高さ部２１に、長さ方向に間隔を設けた一対の穴を穿ける。両支持板５１、５２がレール部２２に差し込まれた際、両支持板５１、５２の横スリット３４の下側に位置する端部がこの高さ部２１に設けられた穴にはまることによって支持板部３０の動きを規制することができる。他の方策は、レール部２２の長さ方向の一端側にレール部２２の空隙（コの字状となった内側）を閉鎖するストッパ部材を溶接などにより固定する。ストッパ部材としては、板材、棒材などが利用可能である。支持板部３０をレール部２２に差込み、スライド移動させてその先端をレール部２２の一端側にあるこのストッパ部材に当接させることにより、支持板部３０の水平方向の動きを規制することができる。
【００３４】
続いて図５において、両支持板３１、３２の上方にある４箇所の保持フック３５に囲まれて作られる仮想空間に対し、破線矢印に示すように台箱４０を水平方向にスライドさせて差込んで固定する。台箱４０は４箇所の保持フック３５により上下方向が拘束されるため、これによって熱変形が阻止される。同時に、保持フック３５を介して支持板部３０の熱変形が台箱４０により阻止される。
【００３５】
次に図６において、炉枠板部５０の内の一対の受炉枠板５１を、下方にある固定リブ５４を台箱４０に設けられた保持スリット４２内に差し込むことにより、台箱４０に取付ける。この状態で図の左側に位置する受炉枠板５１で示すように、受炉枠板５１の外面に支持板部３０にある保持フック３５の先端が背後から当接し、受炉枠板３１がこれによって傾斜した状態で仮保持される。受炉枠板５１の固定リブ５４が台箱４０の保持スリット４２に単に差し込まれただけであれば、受炉枠板５１は不安定のままで倒れる恐れがある。保持フック３５が外面から当接して受炉枠板５１を背後から支えるために受炉枠板５１は自立可能となる。これは後の差炉枠板５２を差し込む動作を極めて容易にする。極端には、保持フック３５による当接支持がなければ、４枚の炉枠板５１、５２を一人で組み付けるのに難渋することになり得る。このように、本願発明では保持フック３５を巧みに利用することで組立性を大幅に改善している。
【００３６】
加えて、図面には示されていないが、一対の受炉枠板５１にある計４つの固定リブ５４は、台箱４０の保持スリット４２を貫通したあと下方に突出し、固定リブ５４の先端が台箱４０の裏側で支持板部３０の両支持板３１、３２の表面に当接している。これにより、両支持板３１、３２の動きが拘束されてその熱変形が阻止されるほか、受炉枠板５１自身の保持姿勢も保たれるものとなる。
【００３７】
続いて図７において、炉枠板部の内の残りの一対の差炉枠板５２（図では左側の１枚のみを表示）を、下方に設けられた固定リブ５４（図３ｂ参照）を台箱４０に設けられた保持スリット４２（図６参照）に差し込むと共に、受炉枠板５１に設けられた傾斜スリット５５ａ内に両側にある差込タブ５７を差し込むことにより取付ける。この際同時に、差炉枠板５２の上方両端にある固定フック５９が受炉枠板５１のもう一つの傾斜スリット５５ｂに差込まれる。差込タブ５７の下方に延びる突出部５８と前記固定フック５９が受炉枠板５１の背後（炉の外側）から受炉枠板５１を拘束し、熱変形を阻止する。また。傾斜スリット５５ａ、５５ｂに差込タブ５７、固定フック５９が差し込まれることによって差炉枠板５２自身も拘束され、熱変形が阻止される。なお、図７では差炉枠板５２の手前側の一枚を表示していないが、同様にして台箱４０及び受炉枠板５１に差し込まれて取付けられる。差炉枠板５２にも2つの固定リブ５４を設ける形式とした場合には、受炉枠板５１と同様に当該固定リブ５４によって支持板部３０の熱変形を阻止する効果が得られる。
【００３８】
次に、オプションとなる燃料保持部６０が、その一対の支持棒６１の先端を両受炉枠板５１に設けられた鍵状穴５６に差し込むことによって炉枠板５１、５２に囲まれた燃焼室内に固定される。一対の受炉枠板５１が上方に拡開するよう傾斜しているため、支持棒６１の差込みは容易である。かつ、取り付け穴が鍵状穴５６となっているため、一旦差し込まれた支持棒６１の端部にある溝部６３（図３ｃ参照）が鍵状穴５６の幅狭部分に落ち込むことにより、受炉枠板５１の板厚方向の移動が拘束され、これによって熱変形が阻止される。最後に、図７には示されていないが、もう一つのオプションである調整板７０が、炉枠板部５により形成された四辺形形状の加熱枠の各コーナ部４個所に差し込まれ、組立が完成する。
【００３９】
以上のようにして組立てられた本実施の形態にかかる野外用こん炉１の全体像を図１に、正面から見た部分透視図を図８に示している。特に図８において、野外用こん炉１の使用時、まず丸めた新聞紙等を燃料保持部６０の上に置き、その上に炭などの燃料６５を置く。着火に際して丸めた紙類を燃料６５の下に配置することが火の着きを容易にすることなどは、通常のこん炉取扱いと不変である。一旦燃料６５に火が点くと、風向きがどのようであってもＸ字状の支持板部３０によって区画されたいずれかの領域で遮られた空気の流れが矢印で示すように台箱４０のメッシュ体４１を通過して上方に導かれ、燃料保持部６０を通過して燃料６５に酸素を供給する。オプションである燃料保持部６０を使用することが、燃料６５と台箱４０との間に十分な空隙を設けて空気の円滑な導入が可能となるために好ましくはあるが、燃料保持部６０を使用することなく、可燃物を台箱４０のメッシュ部４１に直接置いて燃やしてもよい。
【００４０】
可燃物が燃焼することによって炉枠板部５０内に火気が充満し、炉枠板部５０の上端に形成される四辺形の加熱枠に導かれる。本発明にかかる野外用こん炉１は炉枠板部５０が上へ向けて拡開する角錐台型構造となっているため、広い面積で火力を利用することができ、鍋、やかん類の加熱のほか、焼肉、焼き魚などに使用するにも適している。図８に示すように、調節板７０を炉枠板部５０のコーナ部４箇所に差し込むことにより、熱源から被加熱物までの高さ、利用面積を調節することができ、調整板７０には焼き網８０などを乗せることができる。調節板７０は、炉枠板部５０を構成する受炉枠板５１、差炉枠板５２の相互連結関係を強固に保持する役割も果すことは上述の通りである。
【００４１】
炭等の可燃物が燃焼することによって発生する灰は、ほとんどのものが燃料保持部６０を通過し、まず台箱４０に落下する。台箱４０に設けられた通気用のメッシュ体４１は比較的密に構成されているため、一部の灰はここで保持される。しかしながら、残りの灰はこのメッシュ体４１も通過し、最終的には台座板２０まで落下する。いずれにせよ本願発明にかかる野外用こん炉１では、台座板２０が存在することによって、燃焼後に排出される灰が直接地表面まで落下することはない。これにより、単に地表面の汚れが回避されるばかりでなく、地表面への熱影響を遮蔽するなど総合的な環境保護に貢献するものとなる。
【００４２】
野外用こん炉１の使用時には、炭等可燃物の燃焼によって周囲を囲む炉枠板部５０、台箱４０、さらには支持板部３０、台座板２０に至るまで高熱にさらされる。本実施の形態にかかる野外用こん炉１では、これまで述べてきたように各部材間が相互に相手側をガッチリと拘束し、または当接して背後から支持するなどしているため、各要素を熱変形から有効に守ることができる。実際、本願発明者らが行った実験によれば、当該野外用こん炉１を繰り返し使用しても目に見えるような熱変形はほぼゼロであった。例えば特許文献１に示す携帯こん炉では、僅か数回の使用で折り畳み、収納が困難になるほど熱変形することを考慮すれば、これは画期的なことであると言える。
【００４３】
加熱利用後の分解の手順は、上述した組立て手順の逆に進めればよく、極めて容易である。すなわち、まず調整板７０が使用されていればこれを抜き取り、燃焼室内部に置かれた燃料保持部６０を取り外す。次に炉枠板部５０を、差炉枠板５２、受炉枠板５１の順で取り除く。続いて台箱４０を支持板部３０の保持フック３５から水平方向に引き抜いて取り外し、次いでその下方に現れる支持板部３０を台座板２から外して両支持板３１、３２に分離する。これにより全構成要素が分解される。
【００４４】
本発明にかかる野外用こん炉１の収納姿を図９に示している。収納時には、まず箱状となっている台箱４０の中に、台座板２０を除いた他の全ての要素を積み重ねて入れる。本発明にかかる野外用こん炉１は、ごく一部を除いていずれの要素も板材からほぼ平坦な形状に形成されているため、重ね合わせは容易である。台箱４０内に全部の要素が収納されたら、最後にこの台箱４０を台座板２０のレール部２２内側に形成された隙間へ引き出し状に滑り込ませ、収納が完了する。
【００４５】
本実施の形態では、こん炉の火気利用開口部の四辺形寸法が約２９０ｍｍ四方である場合に、収納された後の姿は３１６ｍｍ×２１０ｍｍ×１８ｍｍと、ほぼＡ４のブックサイズの収納姿に変身する。このため、キャンプ地などへ出かける際の搬送、現地での持ち運びは極めて容易であり、また保管時においてもほとんど場所を取ることがない。なお、各構成要素に関してこれまで表示してきた板厚は、上記本実施の形態の寸法諸元に適するものを例示したものであり、例えば火気利用開口部がより大きくなる大型のこん炉に対しては板厚をより厚目に設定することが望ましく、逆に小型の場合には板厚を減らす可能性があることは論を待たない。
【００４６】
その他も含め、特に特許文献１に示す携帯用こん炉に比較した場合の本発明にかかる野外用こん炉の特徴をまとめれば、以下のようになる。
（１）台座板２０を有するため、燃焼後の灰を直接地表面に落下させることがない。
（２）支持板部３０が十字状ではなくＸ状に配置されているため、幅を長く取ることができ、こん炉の支持を安定化させると同時により多くの空気をこん炉内に導くことができる。
（３）燃料保持部６０を使用することにより、燃料と台箱４０との間に空気溜りができ、炭等の燃料に有効に空気を導くことができる。
（４）炉枠板部５０を４枚に完全に分離することができ、蝶番を不要とし、洗浄を容易にする。
（５）炉枠板部５０が上方に広がる角錐台型であり、加熱面積が広く、用途が広範である。
（６）各要素が組み付けられたときに要素同士が相互に動きを拘束し合い、熱変形をほとんど発生させない。
（７）熱変形が少ないことから、耐久寿命を格段に延ばすことができる。
（８）各構成要素がほぼ平坦な板材から形成されており、積み重ねてもかさばらない。
（９）各構成要素は板材（ステンレス鋼板）をＮＣレーザで切り取って製造でき、他加工も最小限に抑えているため、加工費が廉価である。
（１０）分割組立が容易で、かつ組立て時には誰が組んでもガッチリ組み上げることができ、分解後には極めてコンパクトに収納されて保管にも便利である。
【００４７】
以上、本発明の実施の形態にかかる野外用こん炉について述べてきたが、本発明は上述した実施の形態のものには限定されない。本発明を基に、様々な変形が可能である。例えば、一対の支持板３１、３２の組付けは、縦スリット３３同士を差込む方式に代えて蝶番により折り畳む方式としてもよい。燃料保持部６０は一対の受炉枠板５１の間ではなく、一対の差炉枠板５２の間に取り付けられてもよい。燃料保持部６０の固定は、鍵状穴５６を用いることなく、スリットを利用してこれに単に差込むだけの形式としてもよい。受炉枠板５１、差炉枠板５２のいずれか一方または双方には、燃料保持部６の下方となる位置に予備の空気導入穴を設けてもよい。また、収納時の姿は容器と蓋とを逆にし、台座板２０を容器にして他の部品をこの中に収納し、台箱４０を蓋にして台座板２０の容器ごとこの中に差し込むよう構成してもよい。炉枠板部５０は、固定リブ５４を利用した差込み式とせず、蝶番により台箱４０に折り畳めるようにしてもよい。あるいは炉枠板部５０を二重構造とし、上記実施の形態に示す炉枠体部５０の内部にさらに燃料を囲む枠体部（第２の炉枠板部）を設け、火力の放出を防いでより効率的に使用するようにしてもよい。これらの変形は、単なる例示である。
【産業上の利用可能性】
【００４８】
本発明に係る野外用こん炉は、野外用品を製造、販売、使用する産業分野において広く利用することができる。
【図面の簡単な説明】
【００４９】
【図１】本発明の実施の形態にかかる野外用こん炉の概要を示す斜視図である。
【図２】図１に示す野外用こん炉を構成する要素の概要を示す斜視図である。
【図３】図１に示す野外用こん炉を構成する他の要素の概要を示す斜視図である。
【図４】図１に示す野外用こん炉の組立て手順（その１）を示す説明図である。
【図５】図１に示す野外用こん炉の組立て手順（その２）を示す説明図である。
【図６】図１に示す野外用こん炉の組立て手順（その３）を示す説明図である。
【図７】図１に示す野外用こん炉の組立て手順（その４）を示す説明図である。
【図８】図１に示す野外用こん炉の使用状態を示す正面部分透視図である。
【図９】図１に示す野外用こん炉の収納状態を示す斜視図である。
【符号の説明】
【００５０】
１．野外用こん炉（こん炉）、  ２０．台座板、  ２１．高さ部、  ２２．レール部、  ２３．くびれ部、  ３０．支持板部、  ３１．受支持板、  ３２．差支持板、  ３３．縦スリット、  ３４．横スリット、  ３５．保持フック、  ４０．台箱、  ４１．メッシュ体、  ４２．保持スリット、  ５０．炉枠板部、  ５１．受炉枠板、  ５２．差炉枠板、  ５３．曲げ加工部、  ５４．固定リブ、  ５５．傾斜スリット、  ５６．鍵状穴、  ５７．差込タブ、  ５８．突出部、  ５９．固定フック、  ６０．燃料保持部、  ６１．支持棒、  ６２．ネット体、  ６３．溝部、  ６５．燃料、  ７０．調整板、  ７１、７２．差込みスリット。
【図１】
0004395665.tif 000002
【図２】
0004395665.tif 000003
【図３】
0004395665.tif 000004
【図４】
0004395665.tif 000005
【図５】
0004395665.tif 000006
【図６】
0004395665.tif 000007
【図７】
0004395665.tif 000008
【図８】
0004395665.tif 000009
【図９】
0004395665.tif 000010